(57)【要約】【課題】  着用者の腹部を前方から後上方に押圧して、前腹部に位置する腹直筋に反発力を働かせ、腹直筋に繋がる腹部のインナーマッスル（特に、腹横筋、内腹斜筋）に収縮力を働かせて、着用者のインナーマッスルを鍛錬することができるサポーターを提供する。【解決手段】  サポーター１００は、着用者の安静立位の体幹側面視における上前腸骨棘２０１と第５腰椎３０１とを結ぶ線分に沿って、当該着用者の腰部を包囲する本体部１０と、本体部１０における着用者の左右の上前腸骨棘２０１間に対応する部分に配設される袋状の収納部２０と、収納部２０に収納され、気体を注入して体積を増加させる膨張部３０と、を備え、膨張部３０が、着用者の第５腰椎３０１に向けて、当該着用者の腹腔を押圧する。【選択図】        図１
2013094336.tif 000002
【特許請求の範囲】
【請求項１】
着用者の安静立位の体幹側面視における上前腸骨棘と第５腰椎とを結ぶ線分に沿って、当該着用者の腰部を包囲する本体部と、
前記本体部における前記着用者の左右の上前腸骨棘間に対応する部分に配設される袋状の収納部と、
前記収納部に収納され、気体を注入して体積を増加させる膨張部と、
を備え、
前記膨張部が、前記着用者の第５腰椎に向けて、当該着用者の腹腔を押圧することを特徴とするサポーター。
【請求項２】
前記請求項１に記載のサポーターにおいて、
前記着用者の腹部に対して前記膨張部の外側に配設され、前記膨張部への気体の注入に伴って前記着用者の腹部側に前記膨張部を膨張させる板状の支持部を備えることを特徴とするサポーター。
【請求項３】
前記請求項２に記載のサポーターにおいて、
前記本体部が、帯状体で形成され、当該帯状体の両端の異なる面に配設される一対の係着部を備え、
前記収納部が、前記一対の係着部を対向して係着させた場合に、前記本体部の両端の重畳部分における一端側の最内面に配設され、
前記膨張部への気体の注入口が、前記本体部の両端と前記支持部とにそれぞれ配設される貫通孔を介して、露出することを特徴とするサポーター。
【請求項４】
前記請求項３に記載のサポーターにおいて、
前記本体部の他端側に配設される貫通孔が、前記本体部の長手方向に沿って並設される複数の貫通孔からなることを特徴とするサポーター。
【請求項５】
前記請求項１乃至４のいずれかに記載のサポーターにおいて、
前記膨張部が、前記着用者の臍下から離間するにつれて断面積が小さくなる形状であることを特徴とするサポーター。
【発明の詳細な説明】
【技術分野】
【０００１】
この発明は、日常生活において無意識に着用者の腹筋を鍛錬し、着用者の腰痛の予防効果を得ると共に、着用者の腰椎の安定性を向上させ、腰痛を持つ着用者への除痛効果を得ることのできるサポーターに関する。
【背景技術】
【０００２】
体幹は書いて字のごとく「体の幹」であり、四肢運動を行うための安定性及び支持性を担っている重要な部位である。「幹」が不安定であれば、腰痛の原因になるばかりでなく、四肢の筋力発揮不足や運動遂行能力の低下など、リハビリテーションを行う上でも体幹機能は重要である。
また、体幹トレーニングは、リハビリテーション分野以外に、高齢者の体力アップや転倒予防、スポーツ選手のパフォーマンス向上、ダイエットなどで幅広く応用されている。
【０００３】
体幹トレーニングの中では、特に、腹筋群に対するトレーニングが重要であり、近年、腹部の深層筋（ローカルマッスル、インナーマッスル、コアマッスル）について着目されている。
また、ローカルマッスルの中でも最深層に位置する腹横筋は、腹腔内圧を上昇させ、胸郭の固定に寄与し、体幹の安定性作用を有し、腹横筋トレーニングによって、腰痛の消失及び予防効果があるとされる。
【０００４】
なお、腹横筋については、効果的な腹横筋の収縮の条件を検討した報告は散見されるが、腹横筋を意識した収縮自体を日常生活で行うことが少なく、さらに深層に位置するため、視覚的に収縮を感じることや、表層からの触診も困難である。
また、腹直筋や外腹斜筋などの腹部の浅層筋（グローバルマッスル、アウターマッスル）を抑制させながら、腹横筋のみを選択的に収縮することは重要であるが、指導には困難なことが多い。
【０００５】
なお、腰痛は、図１０に示すように、腰椎の前彎や骨盤の前傾による脊椎のアライメントが変化して（症例Ａ：腰椎の前彎、症例Ｂ：骨盤の前傾）、椎間板の内圧の上昇、腹筋の低下（背筋の過緊張）、椎間板ヘルニア又は脊柱管の狭窄症などを原因にすることや、胸腰椎の後彎による脊椎のアライメントが変化して（症例Ｅ：高齢者における腰椎の円背）、椎体の圧迫骨折又は老人性の円背を原因にすることや、脊椎の不安定性により、すべり症又は脊柱管の狭窄症を原因にする。
【０００６】
このため、腰痛の予防及び除痛には、脊椎の安定性が必要であり、腹部や腰部における筋力トレーニングや腰部にサポーターを着用することによる保存療法が考えられる。
なお、筋力トレーニングとしては、図１０に示す症例Ａ及び症例Ｂに対して、腹筋を強化するトレーニングが効果的であり、図１０に示す症例Ｅに対して、背筋を強化するトレーニングが効果的である。
【０００７】
例えば、従来の空気ポンプとセットの身体矯正具は、両端着脱自在からなるベルトの腹部に空気袋体を有する手段と、空気袋体の一端には切欠口を有する注入口を取着する手段と、注入口に嵌脱自在のボ−ルストッパ−入り注入空気ポンプをセットする手段と、空気袋体に空気を封入して腹部を圧迫して矯正する空気ポンプとセットの身体矯正具である（例えば、特許文献１参照）。
【先行技術文献】
【特許文献】
【０００８】
【特許文献１】特開２０００−５２０７号公報
【発明の概要】
【発明が解決しようとする課題】
【０００９】
しかしながら、従来の空気ポンプとセットの身体矯正具は、ベルトを腹に巻いて使用するのであるが、体幹に対して垂直に巻かれており、この状態で空気袋体に空気を封入することでは、腹腔内圧を上昇させるのに不十分であり、最深層に位置する腹横筋を鍛錬することが困難であるという課題がある。
【００１０】
この発明は、上述のような課題を解決するためになされたもので、サポーターの着用者に対して、腹横筋を鍛錬し、着用者の腰痛の予防効果を図ると共に、着用者の腰椎の安定性を向上させ、腰痛を持つ着用者への除痛効果を得ることができるサポーターを提供することを目的とする。
【課題を解決するための手段】
【００１１】
この発明に係るサポーターにおいては、着用者の安静立位の体幹側面視における上前腸骨棘と第５腰椎とを結ぶ線分に沿って、当該着用者の腰部を包囲する本体部と、本体部における着用者の左右の上前腸骨棘間に対応する部分に配設される袋状の収納部と、収納部に収納され、気体を注入して体積を増加させる膨張部と、を備え、膨張部が、着用者の第５腰椎に向けて、当該着用者の腹腔を押圧するものである。
【発明の効果】
【００１２】
この発明に係るサポーターにおいては、着用者の腹部を前方から後上方に押圧して、前腹部に位置する腹直筋に反発力を働かせ、腹直筋に繋がる腹部のインナーマッスル（特に、腹横筋、内腹斜筋）に収縮力を働かせて、着用者の腰部のインナーマッスルを鍛錬することができ、着用者の腰痛の予防効果を図ると共に、着用者の腰椎の安定性を向上させ、腰痛を持つ着用者への除痛効果を得ることができる。
【図面の簡単な説明】
【００１３】
【図１】（ａ）は第１の実施形態に係るサポーターの裏地面を示す図であり、（ｂ）は図１（ａ）に示すサポーターの表地面を示す図であり、（ｃ）は図１（ａ）に示す収納部に収納する膨張部を示す斜視図であり、（ｄ）は図１（ａ）に示す収納部に膨張部を収納し膨張部に気体を注入したサポーターの裏地面を示す図であり、（ｅ）は図１（ａ）に示す収納部を取り除き支持部を露出させたサポーターの裏地面を示す図であり、（ｆ）は図１（ａ）に示す収納部に収納する膨張部の他の例を示す斜視図である。
【図２】（ａ）は安静立位における骨盤傾斜角を説明するための体幹側面図であり、（ｂ）は図１に示すサポーターの着用状態を示す右側前方からみた斜視図であり、（ｃ）は図１に示すサポーターの着用状態を示す右側後方からみた斜視図であり、（ｄ）は図１に示すサポーターの着用状態を示す右側面図である。
【図３】（ａ）は着用者の腰部を輪切りにした状態を示す断面図であり、（ｂ）は図１に示すサポーターを着用した状態における着用者の腰部を輪切りにした状態を示す断面図である。
【図４】超音波測定器による測定部位を説明するための説明図である。
【図５】腹筋群の超音波画像の一例を示す説明図である。
【図６】（ａ）はサポーターの着用有無による外腹斜筋の筋厚の測定結果を示すグラフであり、（ｂ）はサポーターの着用有無による内腹斜筋の筋厚の測定結果を示すグラフであり、（ｃ）はサポーターの着用有無による腹横筋の筋厚の測定結果を示すグラフである。
【図７】（ａ）は被験者１における腹筋トレーニング及びサポーターの着用による腹横筋の筋厚の測定結果を示すグラフであり、（ｂ）は被験者２における腹筋トレーニング及びサポーターの着用による腹横筋の筋厚の測定結果を示すグラフである。
【図８】（ａ）は背臥位におけるサポーターの着用有無による腹横筋の筋厚の測定結果を示すグラフであり、（ｂ）は側臥位におけるサポーターの着用有無による腹横筋の筋厚の測定結果を示すグラフであり、（ｃ）は坐位におけるサポーターの着用有無による腹横筋の筋厚の測定結果を示すグラフである。
【図９】（ａ）は経時的変化における外腹斜筋の筋厚の測定結果を示すグラフであり、（ｂ）は経時的変化における内腹斜筋の筋厚の測定結果を示すグラフであり、（ｃ）は経時的変化における腹横筋の筋厚の測定結果を示すグラフである。
【図１０】悪い姿勢の類型を説明するための説明図である。
【発明を実施するための形態】
【００１４】
（本発明の第１の実施形態）
本実施形態に係るサポーター１００は、腰用のサポーターとして用いられるもので、図１及び図２に示すように、着用者の安静立位の体幹側面視（図２（ａ）、図２（ｃ）参照）における上前腸骨棘２０１と第５腰椎３０１とを結ぶ線分に沿って、当該着用者の腰部を包囲する本体部１０と、本体部１０における着用者の左右の上前腸骨棘２０１間に対応する部分に配設される袋状の収納部２０と、を備える。
なお、安静立位の体幹側面視における骨盤（上前腸骨棘２０１と上後腸骨棘２０２とを結ぶ線分）は、図２（ａ）に示すように、上後腸骨棘２０２を通る体幹に垂直な基準線Ｈに対して、およそ１２°前方に傾いている。また、安静立位の体幹側面視における上前腸骨棘２０１と第５腰椎３０１とを結ぶ線分は、図２（ａ）に示すように、基準線Ｈに対しておよそ１５°〜２０°前方に傾いている。
【００１５】
また、本体部１０は、図１（ｄ）及び図１（ｅ）に示すように、収納部２０に収納され、気体を注入して体積を増加させ、着用者の第５腰椎３０１に向けて当該着用者の腹腔を押圧する膨張部３０と、着用者の腹部に対して膨張部３０の外側に配設され、膨張部３０への気体の注入に伴って着用者の腹部側に膨張部３０を膨張させる板状の支持部４０と、を備える。この支持部４０は、膨張部３０が着用者の腹部に対して前方に膨張することを抑制し、着用者の腹部を効率よく押圧することができる。
【００１６】
このように、本実施形態に係るサポーター１００は、本体部１０が着用者の背部（腰痛の好発部位である第５腰椎３０１近傍）及び腸骨２００を支持したうえで、膨張部３０が前腹部（左右の上前腸骨棘２０１の間）から着用者の第５腰椎３０１にかけて斜め上方に腹腔を押圧することにより、腸骨２００内部の臓器の側方への移動が抑制され、腸骨２００内部の臓器に加わった圧力を斜め上方に伝播することができる。
【００１７】
特に、上前腸骨棘２０１近傍は、筋肉の走行が上外側となっており、安静立位の体幹側面視における筋肉の走行方向は、基準線Ｈに対しておよそ１５°〜２０°前方に傾いている。このため、安静立位の体幹側面視における上前腸骨棘２０１及び第５腰椎３０１を結ぶ線分の方向と上前腸骨棘２０１近傍の筋肉の走行方向とが一致しており、膨張部３０による前腹部の圧迫により、上前腸骨棘２０１近傍の筋肉を効率的に作用させることができる。
【００１８】
なお、本実施形態に係る本体部１０は、帯状体で形成され、当該帯状体の両端の異なる面に配設される一対の係着部を備えているが、帯状帯に限られるものではなく、腹巻のような円筒状であってもよい。
【００１９】
また、本実施形態に係る係着部は、面ファスナー（ループ５１、フック５２）を用いているが、本体部１０の両端部分を係着できるのであれば面ファスナーに限られるものではなく、例えば、ボタン、ドットボタン、スナップ、フック、尾錠、ファスナー（ジッパー、チャック）、尾錠、前かん、又は、スピンドルストッパなどを用いてもよい。
【００２０】
また、本実施形態に係る本体部１０は、着用者に当接しない表地面（図１（ｂ）参照）における一端側（一端部１１）に面ファスナーのループ５１が配設され、着用者に当接する裏地面（図１（ａ）参照）における他端側（他端部１２）に面ファスナーのフック５２が配設されているが、フック５２を表地面に配設させてループ５１を裏地面に配設させてもよい。また、本体部１０は、表地面におけるループ５１を配設する側を一端側（一端部１１）から他端側（他端部１２）に変更して配設させ、裏地面におけるフック５２を配設する側を他端側（他端部１２）から一端側（一端部１１）に変更して配設させてもよい。
【００２１】
収納部２０は、一対の係着部（ループ５１、フック５２）を対向して係着させた場合に、本体部１０の両端の重畳部分における一端側（一端部１１）の最内面に配設される。
また、膨張部３０への気体の注入口３１は、本体部１０の両端と支持部４０（図１（ｅ）参照）とにそれぞれ配設される貫通孔６０を介して、露出する（図２（ｃ）参照）。
【００２２】
また、本体部１０の他端側（他端部１２）に配設される貫通孔６０は、本体部１０の長手方向に沿って並設される複数の貫通孔６０からなることにより、着用者のウエストサイズに合わせて膨張部３０の注入口３１を挿通させる貫通孔６０を変えることができ、ウエストサイズの異なる任意の着用者に対してサポーター１００を対応させることができる。なお、本実施形態においては、３つの貫通孔６０を並設させているが、貫通孔６０の数は３つに限られるものではない。
【００２３】
なお、本実施形態に係る本体部１０は、収納部２０を配設する一端部１１と、係着部を介して一端部１１に対向させる他端部１２と、着用者の背部に当接させる背当部１３と、着用者の安静立位の体幹側面視における上前腸骨棘２０１と第５腰椎３０１とを結ぶ線分に沿うように背当部１３及び一端部１１又は他端部１２を連結する左右の傾斜部１４と、から構成される。
【００２４】
また、本実施形態に係る本体部１０は、一端部１１及び傾斜部１４、他端部１２及び傾斜部１４、並びに、背当部１３及び傾斜部１４間に、杉綾テープ１を当てて縫製し、それぞれを連結すると共に、ポリエステル及びポリウレタン製のふち巻きテープ２で周縁部を挟み込み縫い付けて一体にしたものである。
【００２５】
また、本実施形態に係る一端部１１は、表地面の係着部（ループ５１）としてナイロン製のクイックロン（登録商標）を用い、中敷の支持部４０としてポリプロピレン製のベルポーレンを用い、裏地面の収納部２０としてポリエステル及びポリウレタン製の２ＷＡＹ生地２１を用いた層からなり、中敷のベルポーレンにより、サポーター１００の長手方向Ｌ及び短手方向Ｓの伸縮性をほぼ無くしたものである。
【００２６】
また、一端部１１の裏地面の収納部２０は、開口部となる２ＷＡＹ生地２１の縁（断ち目）を上タックゴム２２で挟み込み縫い付け、２枚の２ＷＡＹ生地２１を重ね合わせたものであり、２ＷＡＹ生地２１の上タックゴム２２近傍には、一対の面ファスナー（２３ａ、２３ｂ）を縫製している。
【００２７】
また、一端部１１における表地面の係着部（ループ５１）及び中敷の支持部４０には、貫通孔６０があり、貫通孔６０には、ポリアセタール（ＰＯＭ）製のプラハトメが嵌装されている。
【００２８】
なお、本実施形態に係る他端部１２は、表地面としてナイロン製のループ面のクイックロン（登録商標）を用い、中敷としてポリプロピレン製のベルポーレンを用い、裏地面の係着部（フック５２）としてナイロン製のクイックロン（登録商標）と裏地面の他の領域としてナイロン製のＢ面フレンチパイルとを用いた層からなり、中敷のベルポーレンにより、サポーター１００の長手方向Ｌ及び短手方向Ｓの伸縮性をほぼ無くしたものである。
【００２９】
また、他端部１２における表地面、中敷及び裏地面（他の領域）には、貫通孔６０があり、貫通孔６０には、ポリアセタール（ＰＯＭ）製のプラハトメが嵌装されている。
【００３０】
また、本実施形態においては、ポリエステル及びポリウレタン製のパワーネットを背当部１３に用い、ポリエステル製のダブルラッセルを傾斜部１４に用いることで、サポーター１００の長手方向Ｌの伸縮性を与えると共に、サポーター１００の短手方向Ｓの伸縮性を抑制したものである。
【００３１】
なお、傾斜部１４は、経編機により横糸１振りの経編で編み立てられる編生地（以下、経編生地と称す）からなり、経編生地の編み立て方向をサポーター１００の長手方向Ｌとすることで、長手方向Ｌの伸縮性を与えると共に、サポーター１００の短手方向Ｓの伸縮性を抑制したものである。
【００３２】
ここで、経編は、縦方向（編み立て方向）に編目を作っていき、１本ずつ平行に並べられた数多くの経糸（整経糸）を用い、これをそれぞれ結合させて編地を作る。
【００３３】
結合方法には、様々な種類があるが、代表的なものとして、隣同士の経糸を互いに絡ませ合いながら全体として編地を作る方法や、経糸のそれぞれ１本ずつで、独立した多くの鎖編をつくり、これに対して別に用意したもう一組の経糸を挿入して、鎖編の数本ずつを取り纏めながら横方向に連絡し、全体として編地を形成する方法が挙げられる。
【００３４】
また、経編は、ほつれ難く、横方向（編み立て方向に垂直な方向）の伸びが少ないうえに、高生産性があり、編幅が大きいなどの特徴がある。
【００３５】
膨張部３０は、図１（ｃ）に示すように、略球状の空気袋３２に円筒状の注入口３１を連結した形状であるが、この形状に限られるものではなく、例えば、膨張部３０（空気袋３２）を収納部２０に収納し、サポーター１００を装着して膨張部３０（空気袋３２）に気体を注入した場合に、図１（ｆ）に示すように、膨張部３０（空気袋３２）が、着用者の臍下から離間するにつれて断面積が小さくなる形状であってもよい。この形状により、着用者の腹部を押圧する膨張部３０（空気袋３２）が臍下に近いほど広く、押圧力が斜め上方に作用することになり、より確実に、着用者の第５腰椎３０１に向けて着用者の腹腔を押圧することができる。
【００３６】
なお、本実施形態に係るサポーター１００は、例えば、以下の手順により着用する。
まず、着用者は、収納部２０に膨張部３０を入れ、支持部４０の貫通孔６０及び係着部（ループ５１）の貫通孔６０から膨張部３０の注入口３１を引っ張り出し、収納部２０の一対の面ファスナー（２３ａ、２３ｂ）を係着させる。
【００３７】
そして、着用者は、本体部１０の背当部１３を着用者の背部（第５腰椎３０１近傍）に支持させたうえで、本体部１０を一端部１１側から着用者の腰部に巻回させた後に、他端部１２側から着用者の腰部に巻回させて、他端部１２の貫通孔６０から膨張部３０の注入口３１を引っ張り出し、他端部１２のフック５２を一端部１１のループ５１に係着させる。この場合に、収納部２０内の膨張部３０（空気袋３２）は、着用者の前腹部（左右の上前腸骨棘２０１間）に位置することになる。
【００３８】
そして、着用者は、膨張部３０の注入口３１から図示しないポンプ（例えば、空気入れ）により気体（例えば、空気）を注入して、着用者の腹部を前方から圧迫する。
なお、本実施形態に係るサポーター１００は、一対の係着部（ループ５１、フック５２）を対向して係着させた場合に、収納部２０が本体部１０の両端の重畳部分における一端側の最内面に配設され、膨張部３０への気体の注入口３１が本体部１０の両端と支持部４０とにそれぞれ配設される貫通孔６０を介して露出することにより、膨張部３０の注入口３１が前方に突出しており、サポーター１００の着用状態において、膨張部３０への気体の注入を容易に行うことができる。
【００３９】
このように、本実施形態に係るサポーター１００は、着用者の腹部を前方から後上方に押圧して、図３に示すように、前腹部に位置する腹直筋４０１に反発力を働かせ、腹直筋４０１に繋がる腹部のインナーマッスル（特に、腹横筋４０２、内腹斜筋４０３）に収縮力を働かせて、着用者の腰部のインナーマッスルを鍛錬することができる。
【００４０】
つぎに、本実施形態に係るサポーター１００の作用効果を検証した結果を説明する。
第１の実験では、１３名の被験者（健常成人、全例男性、平均年齢２２．５±４．９歳）の腰に、サポーター１００を着用させた場合（以下、着用時と称す）と着用させない場合（以下、非着用時と称す）とにおいて、安静立位（足幅は肩幅、視線は前方）における腹筋群の筋厚を測定した。
【００４１】
なお、着用時の圧迫強度（膨張部３０への気体の注入）は、被験者の主観でややきついと感じる程度とした。
【００４２】
また、測定では、測定機器として超音波診断装置（株式会社日立メディコ製「ＭｙＬａｂＦｉｖｅ」）を使用して０．１ｍｍ単位で測定し、呼吸の影響を避けるため、測定のタイミングを呼気最終時に統一した。
【００４３】
また、測定部位は、右前腋窩線上における肋骨辺縁と腸骨稜の中央部分とし、測定筋は、図４及び図５に示すように、外腹斜筋（Ｅｘｔｅｒｎａｌ Ｏｂｌｉｑｕｅ ｍｕｓｃｌｅ：ＥＯ）、内腹斜筋（Ｉｎｔｅｒｎａｌ Ｏｂｌｉｑｕｅ  ｍｕｓｃｌｅ：ＩＯ）、腹横筋（ｔｒａｎｓｖｅｒｓｅ ａｂｄｏｍｉｎａｌ ｍｕｓｃｌｅ：ＴｒＡ）とした。
【００４４】
さらに、測定値の統計は、非着用時の安静立位における各測定筋の筋厚と、着用時である腹部圧迫（Ａｂｄｏｍｉｎａｌ Ｐｒｅｓｓｕｒｅ：ＡＰ）時の安静立位（以下、ＡＰ立位と称す）における各測定筋の筋厚とを、対応のあるｔ検定（平均値の差の検定）を用いて解析し、ｐ値（有意確率）が５％（＝０．０５）未満を「有意差あり」とした。
測定結果を下表１及び図６に示す。
【００４５】
【表１】
2013094336.tif 000003
【００４６】
外腹斜筋（ＥＯ）は、表１及び図６（ａ）に示すように、非着用時（安静立位）の筋厚が９．２５ｍｍであり、着用時（ＡＰ立位）の筋厚が１０．７ｍｍであり、有意差を認めなかった（Ｐ＝０．１７）。
また、内腹斜筋（ＩＯ）は、表１及び図６（ｂ）に示すように、非着用時（安静立位）の筋厚が１２．５ｍｍであり、着用時（ＡＰ立位）の筋厚が１３．９ｍｍであり、有意差を認めた（Ｐ＜０．０５）。
また、腹横筋（ＴｒＡ）は、表１及び図６（ｃ）に示すように、非着用時（安静立位）の筋厚が６．４ｍｍであり、着用時（ＡＰ立位）の筋厚が８．２ｍｍであり、有意差を認めた（Ｐ＜０．００１）。
【００４７】
すなわち、着用時（ＡＰ立位）では、腹横筋（ＴｒＡ）及び内腹斜筋（ＩＯ）の筋厚が有意に増大していることがわかる。これは、着用者の腹部が、前方から適度な圧迫を受け、その刺激がドローイン（腹部凹まし）トレーニングと同様の状況が無意識化で行われている状況となっていると推測できる。
【００４８】
第２の実験では、２名の被験者の腰に、サポーター１００を着用させた場合（着用時）の安静立位における腹横筋の筋厚と、サポーター１００を着用させない場合（非着用時）の他のトレーニング（腹筋トレーニング）後の安静立位における腹横筋の筋厚と、を測定した。
なお、着用時の圧迫強度及び測定方法は、第１の実験と同様である。
測定結果を下表２及び図７に示す。
【００４９】
【表２】
2013094336.tif 000004
【００５０】
表２及び図７に示すように、本実施形態に係るサポーター１００を着用することは、腹横筋を鍛錬するうえで、通常の腹筋トレーニングよりも効果的であることがわかる。
【００５１】
第３の実験では、１名の被験者の腰に、第１の本実施形態に係るサポーター１００を着用させた場合（着用時）と着用させない場合（非着用時）とにおいて、背臥位、側臥位又は坐位における腹横筋の筋厚を測定した。
なお、着用時の圧迫強度及び測定方法は、第１の実験と同様である。
測定結果を下表３及び図８に示す。
【００５２】
【表３】
2013094336.tif 000005
【００５３】
表３及び図８に示すように、本実施形態に係るサポーター１００を着用することは、様々な姿勢において、腹横筋が増大することがわかる。
【００５４】
第４の実験では、１名の被験者の腰にサポーター１００を着用させる前（非着用時）の安静立位における腹筋群を測定すると共に、同一の被験者の腰に、３週間（月曜日から金曜日までの週５日間であり、各日とも午前９時から午前１２時までの３時間）、サポーター１００を着用させ、デスクワークや軽作業程度の仕事を行わせた場合において、３週間経過後に、安静立位における腹筋群の筋厚を測定した。
【００５５】
なお、着用時の圧迫強度及び測定方法は、第１の実験と同様である。
また、測定部位は、腋窩線上及び臍部外側１７．５ｃｍとし、測定毎に場所が変化しないようにした。
測定結果を下表４及び図９に示す。
【００５６】
【表４】
2013094336.tif 000006
【００５７】
表４及び図９に示すように、本実施形態に係るサポーター１００を着用することは、外腹斜筋、内腹斜筋及び腹横筋の筋厚が、経時的変化で増加傾向にあることがわかる。
【００５８】
以上のように、本実施形態に係るサポーター１００は、サポーター１００を着用することにより、腰痛の好発部位である第５腰椎３０１を支持する外的サポートに加え、腹筋群（特に、腰部のインナーマッスル）の膜厚が増大し、内的サポート（筋力によるサポート）が可能になるという作用効果を奏する。
【００５９】
また、本実施形態に係るサポーター１００は、サポーター１００を着用することにより、腹横筋を鍛錬するうえで通常の腹筋トレーニングよりも効果的であり、様々な姿勢においても腹横筋が増大し、日常生活において無意識のうちに腰部のインナーマッスルを鍛錬することができるという作用効果を奏する。
【００６０】
延いては、本実施形態に係るサポーター１００により、腰痛を持つ着用者への除痛効果（腰椎の安定性の向上）による日常生活の手助けや、着用者の腰痛の予防効果（腰部のローカルマッスルトレーニングの効果）や、ウォーキング又はエクササイズなどのトレーニングの補助や、腹横筋トレーニングによるダイエット及び美容効果や、スポーツのパフォーマンスの向上を図ることができる。
【符号の説明】
【００６１】
１      杉綾テープ
２      ふち巻きテープ
１０    本体部
１１    一端部
１２    他端部
１３    背当部
１４    傾斜部
２０    収納部
２１    ２ＷＡＹ生地
２２    上タックゴム
３０    膨張部
３１    注入口
３２    空気袋
４０    支持部
５１    ループ
５２    フック
６０    貫通孔
１００  サポーター
２００  腸骨
２０１  上前腸骨棘
２０２  上後腸骨棘
３０１  第５腰椎
４０１  腹直筋
４０２  腹横筋
４０３  内腹斜筋
Ｈ      基準線
Ｌ      長手方向
Ｓ      短手方向
【図１】
2013094336.tif 000007
【図２】
2013094336.tif 000008
【図３】
2013094336.tif 000009
【図６】
2013094336.tif 000010
【図７】
2013094336.tif 000011
【図８】
2013094336.tif 000012
【図９】
2013094336.tif 000013
【図１０】
2013094336.tif 000014
【図４】
2013094336.tif 000015
【図５】
2013094336.tif 000016